(57)【要約】【課題】  視聴し終えたい時刻までにユーザが映像情報を確実に視聴し終えることを可能にする再生装置を提供する。【解決手段】  制御部４はユーザが指定した終了予定時刻の情報を受けた場合、終了予定時刻と再生終了時刻とを比較する。再生終了時刻が終了予定時刻を超える場合には、制御部４は終了予定時刻までに映像情報の再生が終了するよう所定の処理を行なう。具体的には、ユーザに所定の操作（たとえば早送りや倍速再生など再生速度を速める操作）を行なうよう促すための所定の案内情報を出力する。所定の案内情報は出力部８を介してテレビ１０の画面に表示される。ユーザは所定の案内情報を参照して適切な操作を行なうことにより終了予定時刻までに映像情報を視聴し終えることができる。【選択図】        図１
2006309824.tif 000002
【特許請求の範囲】
【請求項１】
映像情報と前記映像情報の総再生時間とが記録された記録媒体上の前記映像情報を、指定された開始位置から再生する再生部と、
ユーザから前記開始位置を受けるとともに、前記ユーザにより指定された終了予定時刻を前記ユーザから受ける入力部と、
前記開始位置および前記終了予定時刻を記憶するとともに、変更可能なフラグを記憶する記憶部と、
前記記憶部から取得した前記開始位置を前記再生部に送り、前記ユーザから前記入力部を介して速度変更指示を受けた場合に再生速度を変えるよう前記再生部に指示し、前記ユーザから前記入力部を介して送られる変更指示に応じて前記フラグの書換を行なう制御部とを備え、
前記制御部は、前記再生部を介して前記記録媒体から前記総再生時間を取得し、前記開始位置から前記映像情報の最後までの再生時間を示す再生残時間を、前記開始位置および前記総再生時間に基づいて算出し、現在時刻と前記再生残時間とに基づいて、前記映像情報の再生が実際に終了する時刻を示す再生終了時刻を算出し、前記再生終了時刻が前記記憶部から取得した前記終了予定時刻を超える場合には、前記再生速度を速める前記速度変更指示を送るよう前記ユーザに促すための案内情報を出力し、前記フラグを参照して前記再生終了時刻を出力するか否かを決定し、
前記制御部から受ける前記案内情報および前記再生終了時刻を表示装置に対して出力する出力部をさらに備える、再生装置。
【請求項２】
映像情報と前記映像情報の総再生時間とが記録された記録媒体上の前記映像情報を、指定された開始位置から再生する再生部と、
ユーザから前記開始位置を受けるとともに、前記ユーザにより指定された終了予定時刻を前記ユーザから受ける入力部と、
前記開始位置および前記終了予定時刻を記憶する記憶部と、
前記記憶部から取得した前記開始位置を前記再生部に送り、前記再生部を介して前記記録媒体から前記総再生時間を取得し、前記開始位置から前記映像情報の最後までの再生時間を示す再生残時間を算出し、現在時刻と前記再生残時間とに基づいて、前記映像情報の再生が実際に終了する時刻を示す再生終了時刻を算出し、前記再生終了時刻が前記記憶部から取得した前記終了予定時刻を超える場合には、前記終了予定時刻までに前記映像情報の再生を終了させるための所定の処理を行なう制御部とを備える、再生装置。
【請求項３】
前記制御部は、前記所定の処理として、前記ユーザに再生速度を速める速度変更指示を送るよう促すための案内情報を出力する処理を行ない、前記ユーザから前記入力部を介して前記速度変更指示を受けた場合に、前記再生速度を変えるよう前記再生部に指示する、請求項２に記載の再生装置。
【請求項４】
前記制御部から受ける前記案内情報を表示装置に対して出力する出力部をさらに備える、請求項３に記載の再生装置。
【請求項５】
前記記憶部は、前記制御部が前記再生終了時刻を出力するか否かを判定するためのフラグをさらに記憶し、
前記制御部は、前記ユーザから前記入力部を介して受ける出力変更指示に応じ、前記フラグを変更する、請求項４に記載の再生装置。
【請求項６】
前記出力部は、前記制御部が前記再生終了時刻を出力した場合には、前記制御部から受ける前記再生終了時刻を前記表示装置に対してさらに出力する、請求項５に記載の再生装置。
【発明の詳細な説明】
【技術分野】
【０００１】
本発明は再生装置に関し、特にＤＶＤ（Ｄｉｇｉｔａｌ  Ｖｅｒｓａｔｉｌｅ  Ｄｉｓｃ）に記録された情報を再生する再生装置に関する。
【背景技術】
【０００２】
近年、通信回線や記録媒体を介して多くの情報（特に映像情報）がユーザに利用可能となっている。映像情報の再生や記録、加工等の多くの処理を円滑に行なうため、ユーザにある所定のタイミングや時刻を知らせる技術が従来から提案されている。
【０００３】
たとえば、特開平６−３４７７２号公報（特許文献１）には、録画予約時間の数分前になった場合、音または画像によって録画開始時刻が近いことを知らせる予約録画時間お知らせ機能を備えるＶＴＲ（ビデオテープレコーダ）が開示される。
【０００４】
また、特開２００１−６９４５９号公報（特許文献２）には、ナレーターが所望の映像再生区間にナレーションを吹き込むことができるよう、予め設定されたカウントダウン終了時間となる所定時間前よりカウントダウン音声を出力する音声出力手段を備えるカウントダウン音声作成装置が開示される。
【０００５】
また、特開２００３−１６９２８３号公報（特許文献３）には、記録媒体をコマ送り再生したときに１フレームの処理に要する時間を計測し、計測された時間から使用者が指定した全てのフレームを転送するまでに要する転送終了残時間を演算し、その転送終了残時間を表示する動画像再生・転送システムが開示される。
【特許文献１】特開平６−３４７７２号公報
【特許文献２】特開２００１−６９４５９号公報
【特許文献３】特開２００３−１６９２８３号公報
【発明の開示】
【発明が解決しようとする課題】
【０００６】
従来、記録媒体に記録された映像情報を再生する再生装置では、ユーザが予定している視聴終了時刻までに映像情報の再生が終了しない場合、ユーザはその映像情報を途中まで視聴していた。しかし、近年の多くの再生装置には、標準速度よりも再生速度を速める、いわゆる倍速再生機能が搭載されている。よって、映像情報の途中から倍速再生を行なうことにより、ユーザは予定時刻までにその映像情報の再生を終了できる場合がある。
【０００７】
従来の再生装置ではユーザが予定している視聴終了時刻に応じて最適な再生方法を提示する手段を有していなかった。そのためユーザは予定時刻までに終わるかどうかを懸念しながら映像情報を視聴しなければならず、ユーザの利便性が低下していた。
【０００８】
本発明の目的は、視聴し終えたい時刻までにユーザが映像情報を確実に視聴し終えることを可能にする再生装置を提供するものである。
【課題を解決するための手段】
【０００９】
本発明は要約すれば、再生装置であって、映像情報と映像情報の総再生時間とが記録された記録媒体上の映像情報を、指定された開始位置から再生する再生部と、ユーザから開始位置を受けるとともに、ユーザにより指定された終了予定時刻をユーザから受ける入力部と、開始位置および終了予定時刻を記憶するとともに、変更可能なフラグを記憶する記憶部と、記憶部から取得した開始位置を再生部に送り、ユーザから入力部を介して速度変更指示を受けた場合に再生速度を変えるよう再生部に指示し、ユーザから入力部を介して送られる変更指示に応じてフラグの書換を行なう制御部とを備える。制御部は、再生部を介して記録媒体から総再生時間を取得し、開始位置から映像情報の最後までの再生時間を示す再生残時間を、開始位置および総再生時間に基づいて算出し、現在時刻と再生残時間とに基づいて、映像情報の再生が実際に終了する時刻を示す再生終了時刻を算出し、再生終了時刻が記憶部から取得した終了予定時刻を超える場合には、再生速度を速める速度変更指示を送るようユーザに促すための案内情報を出力し、フラグを参照して再生終了時刻を出力するか否かを決定する。再生装置は、制御部から受ける案内情報および再生終了時刻を表示装置に対して出力する出力部をさらに備える。
【００１０】
本発明の他の局面に従うと、再生装置であって、映像情報と映像情報の総再生時間とが記録された記録媒体上の映像情報を、指定された開始位置から再生する再生部と、ユーザから開始位置を受けるとともに、ユーザにより指定された終了予定時刻をユーザから受ける入力部と、開始位置および終了予定時刻を記憶する記憶部と、制御部とを備える。制御部は、記憶部から取得した開始位置を再生部に送り、再生部を介して記録媒体から総再生時間を取得し、開始位置から映像情報の最後までの再生時間を示す再生残時間を算出し、現在時刻と再生残時間とに基づいて、映像情報の再生が実際に終了する時刻を示す再生終了時刻を算出する。制御部は、再生終了時刻が記憶部から取得した終了予定時刻を超える場合には、終了予定時刻までに映像情報の再生を終了させるための所定の処理を行なう。
【００１１】
好ましくは、制御部は、所定の処理として、ユーザに再生速度を速める速度変更指示を送るよう促すための案内情報を出力する処理を行ない、ユーザから入力部を介して速度変更指示を受けた場合に、再生速度を変えるよう再生部に指示する。
【００１２】
より好ましくは、再生装置は、制御部から受ける案内情報を表示装置に対して出力する出力部をさらに備える。
【００１３】
さらに好ましくは、記憶部は、制御部が再生終了時刻を出力するか否かを判定するためのフラグをさらに記憶し、制御部は、ユーザから入力部を介して受ける出力変更指示に応じ、フラグを変更する。
【００１４】
さらに好ましくは、出力部は、制御部が再生終了時刻を出力した場合には、制御部から受ける再生終了時刻を表示装置に対してさらに出力する。
【発明の効果】
【００１５】
本発明の再生装置によれば、再生終了時刻がユーザの設定した終了予定時刻を超える場合に、ユーザに適切な操作をするよう促すための案内情報を出力するので、ユーザは視聴し終えたい時刻までに映像情報を確実に視聴し終えることができる。
【発明を実施するための最良の形態】
【００１６】
以下において、本発明の実施の形態について図面を参照して詳しく説明する。なお、図中同一符号は同一または相当部分を示す。
【００１７】
図１は、本発明の再生装置の構成を示すブロック図である。図１を参照して、再生装置１は、再生部２、制御部４、記憶部６、出力部８、および指示入力部１４を備える。
【００１８】
再生部２は、たとえばＤＶＤ（Ｄｉｇｉｔａｌ  Ｖｅｒｓａｔｉｌｅ  Ｄｉｓｃ）等の図示されない光ディスクから、映像情報を読み出して再生する。再生部２は制御部４から入力される再生開始位置から映像情報を再生する。
【００１９】
制御部４は再生装置１の全体の動作を制御する。特に、制御部４は再生時には光ディスクから再生部２を介し、対象となる映像情報の総再生時間を取得する。また、制御部４はユーザから再生開始位置の情報を受ける。この再生開始位置の情報は一旦記憶部６に記憶される。制御部４は再生部２に対して再生開始位置を送り、映像情報を再生開始位置から再生するよう指示するとともに、映像情報の最初から再生開始位置までに相当する再生時間（経過時間）を算出する。
【００２０】
制御部４は、総再生時間と経過時間とに基づいて再生開始位置から映像情報の最後までの再生時間を示す再生残時間を算出する。さらに、制御部４は現在時刻と再生残時間とから、その映像情報の再生が終了する時刻（再生終了時刻）を算出する。なお、制御部４の処理の詳細は後述する。
【００２１】
なお、再生装置１がレジューム機能（前回再生時の終了位置から映像情報の再生を開始する機能）を有する場合、制御部４はレジューム機能が有効であれば記憶部６に記憶されている終了位置を再生開始位置として読み出す。
【００２２】
ユーザは、映像情報を見終えたい時刻を終了予定時刻として再生装置１に指定する。制御部４はユーザが指定した終了予定時刻の情報を受けた場合、終了予定時刻と再生終了時刻とを比較する。再生終了時刻が終了予定時刻を超える場合には、制御部４は終了予定時刻までに映像情報の再生が終了するよう所定の処理を行なう。具体的には、ユーザにある操作（たとえば早送りや倍速再生など再生速度を速める操作）を行なうよう促すための案内情報を出力する。案内情報は出力部８を介してテレビ１０の画面に表示される。ユーザは案内情報を参照して適切な操作を行なうことにより終了予定時刻までに映像情報を視聴し終えることができる。
【００２３】
なお、制御部４は終了予定時刻までに映像情報の再生を終了させるため、再生の途中から自動的に再生速度を変えるよう再生部２に指示してもよい。この場合再生部２は指示を受けて倍速再生を行なう。特に、ユーザが映像情報を視聴し終えたいと思う時間を終了予定時間として設定して映像情報を視聴していたが、過去のシーンからもう一度見直したいと思った場合には、再生終了時刻が終了予定時刻を越えてしまう場合が考えられる。このような場合には制御部４が自動的に倍速再生を行なったほうがユーザの操作回数が少なくなる。
【００２４】
また、制御部４は、再生終了時刻が終了予定時刻を越えてしまう場合には、終了予定時刻までの残り時間に応じた再生位置から映像情報を最後まで再生させてもよい。
【００２５】
ただし、映像情報において倍速再生してもよいとユーザが考える部分や、途中を飛ばしてもよいとユーザが考える部分は、ユーザの好みや映像情報の内容に依存する。よって、ユーザが再生処理を判断するほうがより好ましい。
【００２６】
記憶部６は、上述のレジューム機能が有効である場合に、ある映像情報の前回再生時における終了時刻の情報を記憶する。また、記憶部６はユーザから入力される再生開始位置および終了予定時刻の情報を記憶する。記憶部６はさらに再生終了時刻をテレビ１０の画面に表示するか非表示にするかを示すためのフラグを記憶する。制御部４はこのフラグを参照して再生終了時刻の情報を出力するか否かを決定する。なお、記憶部６は不揮発性の書換可能なメモリ（たとえばフラッシュメモリ）である。よって再生装置１の電源が切られたとしても、これらの情報は失われない。
【００２７】
出力部８は再生部２から受ける映像情報を接続されるテレビ１０に出力する。テレビ１０は映像情報を受け、画面に映像を表示させたり、内蔵するスピーカから音声を出力させたりする。また、出力部８は制御部４から再生終了時刻の情報および案内情報を受けた場合にも文字情報あるいは音声情報としてテレビ１０に出力する。
【００２８】
指示入力部１４は終了予定時刻、再生終了時刻の情報をテレビ１０の画面に表示させるか否かの指示（出力変更指示）等を、リモコン１２を介してユーザから受ける。また、指示入力部１４はたとえばディスクの再生速度を変更する速度変更指示をユーザから受ける。指示入力部１４に送られた指示は制御部４に入力される。
【００２９】
なお、本発明の再生装置に用いられる記録媒体としては光ディスクに限定されず、たとえばハードディスクであってもよい。本発明の再生装置は映像情報と時間情報とが記録された記録媒体を再生する再生装置に適用が可能である。
【００３０】
図２は、ＤＶＤに記録される情報の階層構造を説明する図である。図２を参照して、ＤＶＤに形成されたデータ記録エリアはリードインエリア、ボリューム／ファイル構造、ＤＶＤビデオ領域、他記録エリア、およびリードアウトエリアからなる。
【００３１】
ボリューム／ファイル構造領域はＩＳＯ９６６０及びＵＦＤブリッジに定められる管理領域に相当する。ＤＶＤビデオ領域にはビデオマネージャ（ＶＭＧ）および１個以上９９個以下のビデオタイトルセット（ＶＴＳ）が含まれる。ＶＭＧにはＶＴＳを管理する情報が記述されている。
【００３２】
ＶＴＳは、ビデオタイトルセット情報（ＶＴＳＩ）、ビデオタイトルセットメニュー用ビデオオブジェクトセット（ＶＴＳＭ＿ＶＯＢＳ）、ビデオタイトルセットタイトル用ビデオオブジェクトセット（ＶＴＳＴＴ＿ＶＯＢＳ）、およびビデオタイトルセットのバックアップ用ファイル（ＶＴＳＩ＿ＢＵＰ）を含む。ＶＴＳＴＴ＿ＶＯＢＳには、各ビデオオブジェクト（ＶＯＢ）に含まれるセル（Ｃｅｌｌ）のＩＤ番号が記述されている。またＶＴＳＩには、プログラムチェイン情報（ＰＧＣＩ）が記録されている。
【００３３】
他の記録エリアには、上述したＶＴＳで利用可能な情報、或いはＶＴＳとは関係のない他の情報を記録することができる。なお、このエリアは必須ではない。
【００３４】
図３は、図２のＰＧＣＩの構成を説明する図である。図３を参照して、ＰＧＣＩは複数のプログラムチェイン（ＰＧＣ）により構成される。各ＰＧＣにはそのＰＧＣを構成するセルの番号が記録されている。またＰＧＣＩには、ＰＧＣ総再生時間を取得可能なプログラムチェインプレイバックタイム（ＰＧＣ＿ＰＢ＿ＴＭ）と、ＰＧＣのデータ量を算出可能なセルプレイバックタイム（Ｃ＿ＰＢＴＭ）とが含まれている。ＰＧＣ＿ＰＢ＿ＴＭは、そのＰＧＣに含まれる一連のセルを再生するのに要する総再生時間をタイムコードで表記したものである。Ｃ＿ＰＢＴＭは、ＰＧＣに含まれる各Ｃｅｌｌの再生時間をタイムコードで表記したものである。
【００３５】
図４は、図２のＶＴＳＴＴ＿ＶＯＢＳに含まれる情報の階層構造を説明する図である。図４を参照して、ビデオオブジェクトセット（ＶＯＢＳ）は、複数（図４ではｉ個）のＶＯＢにより構成される。また、ＶＯＢは複数（図４ではｊ個）のセルにより構成される。なお、ＶＯＢ＿ＩＤＮｋはＶＯＢのＩＤ番号を示し、Ｃ＿ＩＤＮｋはセルのＩＤ番号を示す。
【００３６】
セルは、複数のビデオオブジェクトユニット（ＶＯＢＵ）により構成されている。そして、ＶＯＢＵは、ナビゲーションパック（ＮＶ＿ＰＣＫ）、オーディオパック（Ａ＿ＰＣＫ）、ビデオパック（Ｖ＿ＰＣＫ）、サブピクチャパック（ＳＰ＿ＰＣＫ）により構成されている。図４に示すように、ＮＶ＿ＰＣＫは各ＶＯＢＵの先頭にだけ配置されている。
【００３７】
Ａ＿ＰＣＫにはオーディオデータが、Ｖ＿ＰＣＫにはビデオデータが、ＳＰ＿ＰＣＫには字幕データが、個別に圧縮・符号化され記録されている。ＮＶ＿ＰＣＫには、通常再生や特殊再生といった処理を円滑に行なうための付加情報が記録されており、この中に、少なくとも３つの時間情報が記録されている。１つは、ビデオオブジェクトユニットプレゼンテーションスタートタイム（ＶＯＢＵ＿Ｓ＿ＰＴＭ）であり、もう１つはビデオオブジェクトユニットプレゼンテーションエンドタイム（ＶＯＢＵ＿Ｅ＿ＰＴＭ）である。これらはそれぞれ対応するＶＯＢＵの再生開始時刻と再生終了時刻をタイムスタンプで表記したものである。他の１つは、セルエラプスタイム（Ｃ＿ＥＬＴＭ）であり、対応するＶＯＢＵにおいて、ＶＯＢＵを含むセルの先頭からの再生経過時間をタイムコードで表記したものである。
【００３８】
図５は、図１の再生装置１の処理を説明するフローチャートである。図５を参照して処理が開始されると、ステップＳ１において、制御部４は再生部２を制御し、対象となる映像情報の再生残時間を現在時刻に加えて再生終了時刻（Ｘ）を算出する。
【００３９】
ステップＳ１での処理をより詳細に説明すると、たとえば制御部４は図２に示すＰＧＣＩに含まれるＰＧＣ＿ＰＢ＿ＴＭから総再生時間を取得する。次に、制御部４はユーザあるいはレジューム機能により指定された再生開始位置に最も近いセルを検索する。具体的には制御部４は対象となるタイトルのＰＧＣＩに含まれるセルの総数と各セルの再生時間を記したＣ＿ＰＢＴＭとを読み出し、初期値を０としてＣ＿ＰＢＴＭを順次加算する。制御部４は指定された再生開始位置を示す再生時刻に最も近い時刻に再生されるセルを特定する。制御部４は総再生時間から累積加算されたＣ＿ＰＢＴＭの値を減算して再生残時間を算出する。
【００４０】
次にステップＳ２において、制御部４は記憶部６を検索し、ユーザが終了予定時刻（Ｙ）の設定を行なっているか否かを判定する。ユーザが終了予定時刻（Ｙ）の設定を行なっている場合（ステップＳ２においてＹＥＳ）、処理はステップＳ３に進む。一方、ユーザが終了予定時刻（Ｙ）の設定を行なっていない、つまり終了予定時刻（Ｙ）が未設定の場合（ステップＳ２においてＮＯ）、処理はステップＳ４に進む。
【００４１】
ステップＳ３において、制御部４は再生終了時刻（Ｘ）が終了予定時刻（Ｙ）を超えるか否かを判定する。ステップＳ３において再生終了時刻（Ｘ）が終了予定時刻（Ｙ）を超える場合（ステップＳ３においてＹＥＳ）、処理はステップＳ５に進む。一方、ステップＳ３において再生終了時刻（Ｘ）と終了予定時刻（Ｙ）とが同じか、または再生終了時刻（Ｘ）が終了予定時刻（Ｙ）よりも早い場合（ステップＳ３においてＮＯ）、処理はステップＳ４に進む。
【００４２】
ステップＳ４において、制御部４は記憶部６に記憶されたフラグを参照し、ユーザにより再生終了時刻Ｘ（Ｘ）の表示が設定されているか否かを判定する。ユーザにより再生終了時刻（Ｘ）の表示が設定されている場合（ステップＳ４においてＹＥＳ）、処理はステップＳ６に進む。ステップＳ６において、制御部４は再生終了時刻（Ｘ）を出力し、テレビ１０の画面に再生終了時刻（Ｘ）を表示させるよう出力部８に指示する。ステップＳ６においてテレビ１０の画面に再生終了時刻（Ｘ）が表示されると処理はステップＳ１に戻る。
【００４３】
一方、ユーザにより再生終了時刻（Ｘ）の非表示が設定されている場合（ステップＳ４においてＮＯ）、制御部４は再生終了時刻（Ｘ）を出力しない。よって、テレビ１０の画面には再生終了時刻（Ｘ）が表示されない。ステップＳ４においてＮＯの場合には、処理はステップＳ１に戻る。
【００４４】
ステップＳ５において、制御部４は案内情報を出力し、テレビ１０の画面に案内情報を表示させるよう出力部８に指示する。案内情報として表示されるメッセージは、たとえば「このまま再生を続けると終了予定時間を過ぎます。早送りか倍速再生をしてください」というメッセージである。ユーザはこのメッセージに応じて早送りや倍速再生など、再生装置１に行なわせる処理を決定し、再生装置１に速度変更指示を送る。よって映像情報の再生途中から再生速度が速まることにより、ユーザは終了予定時刻までに映像情報の再生を終わらせることができる。ステップＳ５での処理が終了すると、処理は再びステップＳ１に戻る。
【００４５】
図６は、図１のテレビ１０の画面に案内情報が表示された状態を示す模式図である。図６を参照して、画面２１はテレビ１０の画面を示す。画面２１にはユーザが視聴している映像情報が表示されている。画面２１の上方にメッセージＭＳＧ１，ＭＳＧ２が表示される。メッセージＭＳＧ１は再生終了時刻（ＡＡ時ＢＢ分）を示す。メッセージＭＳＧ２は図５のステップＳ５において制御部４から出力される案内情報に相当する。
【００４６】
メッセージＭＳＧ１，ＭＳＧ２の画面上の位置は特に限定されない。たとえばメッセージＭＳＧ２が画面の真中の位置に表示されてもよい。この場合、ユーザは再生終了時刻が終了予定時刻を超えてしまうことにすぐに気が付く。しかしこの場合にはメッセージＭＳＧ２が邪魔であるとユーザが感じる可能性がある。メッセージＭＳＧ２の画面上の位置や文字の大きさ、文言等は適切に定められる。
【００４７】
また、再生終了時刻（Ｘ）が終了予定時刻（Ｙ）を超える状態が継続されている間、メッセージＭＳＧ２が画面２１に表示されている場合にも、メッセージＭＳＧ２が邪魔であるとユーザが感じる可能性がある。この場合、たとえば制御部４は図５のステップＳ１からステップＳ３までの処理を繰り返して処理を繰り返した回数をカウントし、一定の回数ごと（たとえば１０回ごと）にステップＳ５においてテレビ１０の画面にメッセージＭＳＧ２を表示させるよう処理を行なってもよい。
【００４８】
また、メッセージＭＳＧ２の文字数が長すぎることにより、メッセージＭＳＧ２が邪魔であるとユーザが感じる場合がある。さらに、倍速再生を行なっても終了予定時刻までに映像情報の再生が終了するかどうかをユーザが判断できない場合がある。よって、テレビ１０の画面には以下に示すような案内情報が表示されてもよい。
【００４９】
図７は、案内情報の別の例を示す図である。図７を参照して、画面２１ＡはメッセージＭＳＧ２に代えてメッセージＭＳＧ２Ａが表示される点において図６の画面２１と異なるが、画面２１Ａの他の部分の構成は同様であるので以後の説明は繰り返さない。
【００５０】
メッセージＭＳＧ２Ａは１．３倍速再生によって映像情報を再生した場合の再生終了時刻（ＣＣ時ＤＤ分）および２倍速再生によって映像情報を再生した場合の再生終了時刻（ＥＥ時ＦＦ分）を示す。ユーザは表示された再生終了時刻に基づいて、１．３倍速再生または２倍速再生を再生装置に行なわせることができる。
【００５１】
以上のように本発明の実施の形態によれば、再生終了時刻がユーザの設定した終了予定時刻を超えてしまう場合に、ユーザに適切な操作を行なうよう促すための案内情報を出力するので、ユーザは視聴し終えたい時刻までに映像情報を確実に視聴し終えることが可能になる。
【００５２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５３】
【図１】本発明の再生装置の構成を示すブロック図である。
【図２】ＤＶＤに記録される情報の階層構造を説明する図である。
【図３】図２のＰＧＣＩの構成を説明する図である。
【図４】図２のＶＴＳＴＴ＿ＶＯＢＳに含まれる情報の階層構造を説明する図である。
【図５】図１の再生装置１の処理を説明するフローチャートである。
【図６】図１のテレビ１０の画面に案内情報が表示された状態を示す模式図である。
【図７】案内情報の別の例を示す図である。
【符号の説明】
【００５４】
１  再生装置、２  再生部、４  制御部、６  記憶部、８  出力部、１０  テレビ、１２  リモコン、１４  指示入力部、２１，２１Ａ  画面、ＭＳＧ１，ＭＳＧ２，ＭＳＧ２Ａ  メッセージ、Ｓ１〜Ｓ６  ステップ。
【図１】
2006309824.tif 000003
【図２】
2006309824.tif 000004
【図３】
2006309824.tif 000005
【図４】
2006309824.tif 000006
【図５】
2006309824.tif 000007
【図６】
2006309824.tif 000008
【図７】
2006309824.tif 000009